(57)【特許請求の範囲】
【請求項１】
ディスクカートリッジの収納空間及びこの収納空間に連通するディスクカートリッジの挿入口を備えた筐体が、収納ケース本体と該収納ケース本体に着脱自在に設けた蓋体とで構成されたディスクカートリッジ収納ケースであって、前記収納ケース本体と前記蓋体とを閉じ状態に保持する係合手段が、前記収納ケース本体と前記蓋体との間に設けられており、前記係合手段が前記蓋体および前記収納ケース本体のいずれか一方に凹設されたスライド溝と、該スライド溝内をスライド可能ないずれか他方に凸設された突出部とからなり、前記蓋体を前記収納ケース本体にスライド溝に沿ってスライドさせて装着することにより、前記収納空間内に配置した断面Ｌ字状のインデックスシートが挾持固定され、前記スライド溝が、ディスクカートリッジを挿入する方向に対して平行に延びる部分と垂直に延びる部分とからなることを特徴とするディスクカートリッジ収納ケース。
【発明の詳細な説明】
【０００１】
【発明の属する技術分野】
本発明は、ディスクカートリッジ収納ケースに関し、より詳しくは、蓋体が収納ケース本体に対してスライド嵌合して開閉自在とされ、前記開閉動作によりインデックスシートを容易に着脱することができるディスクカートリッジ収納ケースに関する。
【０００２】
【従来の技術】
ディスクカートリッジは、磁気ディスクや光ディスクおよび光磁気ディスク等の円盤状の情報記録媒体をカートリッジに内蔵したものであるが、近年、記録媒体に情報を高密度に記録できるようになったことに伴い、直径２．５インチのミニディスクを内蔵したミニディスクカートリッジ（以下、ＭＤカートリッジと呼ぶ）が、音楽の録音再生等に広く用いられるようになっている。
ところで、前記ＭＤカートリッジは、カートリッジ全体を外部の衝撃から保護したり、カートリッジ内に粉塵が侵入するのを防止して保管・携帯を容易且つ確実にしたりする為に、図１１に示したような収納ケース１に収納される。
【０００３】
図１１に示した従来の収納ケース１は、光磁気ディスク２を内蔵したＭＤカートリッジ３を収納するもので、薄型の平行６面体に形成されたカートリッジ収納空間４を内包する筐体とされ、その一面にはＭＤカートリッジ３をカートリッジ収納空間４内に挿入する挿入口５が開口している。
【０００４】
また、収納ケース１の両側壁６，６には、アーチ状のばね部材７，７が配設されている。これにより、挿入口５からＭＤカートリッジ３をカートリッジ収納空間４内に挿入すると、ＭＤカートリッジ３の両側壁に形成された凹部３ａ，３ａと前記ばね部材７，７とが弾性的に係合し、ＭＤカートリッジ３は収納ケース１内から不用意に抜け出さないように保持される。
さらに、収納ケース１の少なくとも上壁８は、透明な樹脂（例えば、ポリカーボネート、ポリスチレン、ＡＳ樹脂等）により形成され、ＭＤカートリッジ３を直接目視できるようにされている。
【０００５】
【発明が解決しようとする課題】
ところで、ＭＤカートリッジ３に記録した内容等を記載するインデックスシートを収納ケース１内に配置する為には、インデックスシートを挿入口５からカートリッジ収納空間４内に挿入しなければならない。
その際、カートリッジ収納空間４内にインデックスシートを容易に挿入できるように、インデックスシートを小さめに作製したのでは、インデックスシートが収納ケース１から簡単に脱落してしまう。これに対して、インデックスシートが簡単に脱落しないようにインデックスシートを大きめに作製し、カートリッジ収納空間４内に圧入するように構成すると、今度はインデックスシートの挿入性が低下して使い勝手が悪くなる。
したがって、従来はインデックスシートに代えて、記録内容を記載した貼付シールを収納ケース１の外側表面に貼り付けていた。
しかしながら、収納ケース１の外側表面に貼り付けられたシールは汚れたり痛んだりし易く、記載した内容が読めなくなるという問題がある。
【０００６】
そこで、本発明の目的は上記の課題を解消することに係り、インデックスシートを収納ケース内に容易に収納することができ、かつインデックスシートが脱落することがないディスクカートリッジ収納ケースを提供することにある。
【０００７】
【課題を解決するための手段】
本発明の上記目的は、ディスクカートリッジの収納空間及びこの収納空間に連通するディスクカートリッジの挿入口を備えた筐体が、収納ケース本体と該収納ケース本体に着脱自在に設けた蓋体とで構成されたディスクカートリッジ収納ケースであって、前記収納ケース本体と前記蓋体とを閉じ状態に保持する係合手段が、前記収納ケース本体と前記蓋体との間に設けられており、前記係合手段が前記蓋体および前記収納ケース本体のいずれか一方に凹設されたスライド溝と、該スライド溝内をスライド可能ないずれか他方に凸設された突出部とからなり、前記蓋体を前記収納ケース本体にスライド溝に沿ってスライドさせて装着することにより、前記収納空間内に配置した断面Ｌ字状のインデックスシートが挾持固定され、前記スライド溝が、ディスクカートリッジを挿入する方向に対して平行に延びる部分と垂直に延びる部分とからなることを特徴とするディスクカートリッジ収納ケースによって達成することができる。
【０００８】
即ち、上記構成によれば、蓋体を外すことにより、収納空間内にインデックスシートを容易に配置することができる。また、蓋体を装着することにより、インデックスシートを蓋体と収納ケース本体とで挾持固定し、インデックスシートの収納ケースからの脱落を確実に防止できる。
また、スライド溝が、ディスクカートリッジを挿入する方向に対して平行に延びる部分と垂直に延びる部分とからなる構成とすることで、蓋体を収納ケース本体の底壁部から浮かせた状態でスライドさせることができ、蓋体のスライドに伴って蓋体とインデックスシートとが互いに擦れ合うことがない。したがって、蓋体がインデックスシートと擦れ、ＭＤカートリッジにとって極めて有害な紙粉が発生することを確実に防止できる。または、スライド溝が、ディスクカートリッジを挿入する方向に対して平行に延びる部分と垂直に延びる部分とからなる構成とすることで、蓋体を上記スライド溝の平行に延びる部分に沿ってスライドさせてインデックスシートの背表紙部分を挟持固定するとともに、その後、垂直に延びる部分に沿ってスライドさせることにより、蓋体の収納ケース本体に対するスライド量を最小限に抑えることができ、蓋体がインデックスシートと擦れて紙粉が発生するのを防止できる。
【０００９】
前記スライド溝をディスクカートリッジ挿入方向に対して傾斜して延びるように形成してもよい。
【００１１】
【発明の実施の形態】
以下、添付図面を参照しながら本発明に基づくディスクカートリッジ収納ケースの各実施形態を詳細に説明する。
図１に示したように、本発明の第１実施形態に係るＭＤカートリッジ収納ケース１００は、蓋体１０と、この蓋体１０がスライド自在に嵌合する収納ケース本体２０とで構成され、図１１に示したようなＭＤカートリッジ３と、このＭＤカートリッジ３に記録した情報の内容を記載するインデックスシート３０とを収納することができる。
【００１２】
前記蓋体１０は、樹脂材料から射出成形された透明な部材で、前記収納ケース本体２０の上部を覆う上壁部１１と、該上壁部１１の両側端及び後端にそれぞれ立設された左右一対の蓋側壁部１２，１３および蓋後壁部１４とを有している。そして、これらの蓋側壁部１２，１３および蓋後壁部１４が設けられていない部分が、収納空間内にＭＤカートリッジ３を挿入する為の挿入口を形成する。
【００１３】
また、前記左右一対の蓋側壁部１２，１３の外側表面には、係合手段を構成する断面形状が矩形状とされた突条１５が、前記上壁部１１と平行に延びるように凸設されている。また、前記突条１５の前記蓋後壁部１４近傍には、係合凹部１５ａが凹設されている。
さらに、左右一対の蓋側壁部１２，１３の蓋後壁部１４近傍部分には、左右一対の弾性係止片１６がそれぞれ形成されており、カートリッジ収納空間内に収納されたＭＤカートリッジ３の凹部３ａ，３ａと弾性的に係合して該ＭＤカートリッジ３の不用意な抜け出しを阻止する。
【００１４】
前記収納ケース本体２０は、やはり樹脂材料から射出成形された部材で、矩形状の底壁部２１と、この底壁部２１の両側端及び後端にそれぞれ立設されたケース側壁部２２，２３及びケース後壁部２４とを有している。そして、これらのケース側壁部２２，２３及びケース後壁部２４が設けられていない部分が、ＭＤカートリッジ３を挿入する挿入口を形成する。
なお、これらのケース側壁部２２，２３及びケース後壁部２４は、前記蓋体１０をこの収納ケース本体２０に対して装着したときに、蓋体１０の蓋側壁部１２，１３及び蓋後壁部１４を、その内側に収納するように構成されている。
【００１５】
また、左右一対のケース側壁部２２，２３の内側表面には、蓋体１０の前記突条１５とスライド自在に嵌合するスライド溝２５が、底壁部２１に沿って延びるように凹設されている。そして、前記スライド溝２５内のケース後壁部２５に近い側の部分には、突条１５の前記係合凹部１５ａと係合する係合凸部２５ａが突設されている。
【００１６】
なお、蓋体１０の上壁部１１の前縁１１ａには切り欠き部１１ｂが、また収納ケース本体２０の底壁部２１の前縁２１ａには切り欠き部２１ｂが、それぞれ形成されている。これにより、ＭＤカートリッジ収納ケース１００内にＭＤカートリッジ３を収納したときに、ＭＤカートリッジ３の挿入方向後端部を指でつまんで容易にＭＤカートリッジ収納ケース１００から取り出すことができる。
【００１７】
一方、本第１実施形態のＭＤカートリッジ収納ケース１００内に収納されるインデックスシート３０は、図３に示したように、所定の形状に裁断した紙を断面Ｌ字状に折り曲げたもので、収納ケース本体２０の底壁部２１の内壁面に密着可能な本体部分３１と、収納ケース本体２０のケース後壁部２４の内壁面に密着可能な背表紙部分３２とを有している。
【００１８】
次に、上述のように構成された本第１実施形態のＭＤカートリッジ収納ケース１００の使用法について説明する。
まず、蓋体１０で収納ケース本体２０を閉じるには、インデックスシート３０を収納ケース本体２０の内側に収納した後、蓋体１０の突条１５を収納ケース本体２０のスライド溝２５に嵌合させ、蓋体１０を収納ケース本体２０のケース後壁部２４に向かってスライドさせる。すると、突条１５の係合凹部１５ａとスライド溝２５の係合凸部２５ａとが互いに係合し、蓋体１０は収納ケース本体２０に対して閉じ状態に保持される。
【００１９】
一方、インデックスシート３０は、図２に示したように、その背表紙部分３２が蓋後壁部１４とケース後壁部２４とにより挾持固定される。これにより、このインデックスシート３０がＭＤカートリッジ収納ケース１００内から脱落することを確実に防止できる。
また、本第１実施形態のＭＤカートリッジ収納ケース１００内にＭＤカートリッジ３を挿入すると、蓋体１０の左右一対の弾性係止片１６，１６がＭＤカートリッジ３の凹部３ａ，３ａと弾性的に係合して該ＭＤカートリッジ３を収納空間内に保持することができる。同時に、蓋側壁部１２，１３は，ＭＤカートリッジ３によってケース内方への弾性変形を阻止されるので、係合凸部２５ａと係合凹部１５ａとの係合が外れることはない。
これにより、ＭＤカートリッジ３をＭＤカートリッジ収納ケース１００に収納した状態では、蓋体１０は収納ケース本体２０から外れることはない。
【００２０】
これに対して、本第１実施形態のＭＤカートリッジ収納ケース１００からインデックスシート３０を取り出す際には、まずＭＤカートリッジ３を取り出し、蓋体１０を収納ケース本体２０に対してスライドさせれば、係合凹部１５ａと係合凸部２５ａとによる係合が解除され、蓋体１０を収納ケース本体２０から取り外すことができる。そして、蓋体１０を取り除いた状態では、インデックスシート３０の取り出しは極めて容易である。
【００２１】
即ち、本第１実施形態のＭＤカートリッジ収納ケース１００は、蓋体１０と収納ケース本体２０とから構成されるとともに、蓋体１０が収納ケース本体２０に対してスライド嵌合して着脱自在とされているので、インデックスシート３０の収納および取り出しを極めて容易に行うことができる。
また、蓋体１０を収納ケース本体２０に装着すると、インデックスシート３０が蓋体１０の蓋後壁部１４と収納ケース本体２０のケース後壁部２４とによって挟持固定されるので、インデックスシート３０がこのＭＤカートリッジ収納ケース１００内から脱落することを確実に防止できる。
【００２２】
なお、本第１実施形態のＭＤカートリッジ収納ケース１００においては、蓋体１０の蓋後壁部１４が蓋側壁部１２，１３の間で連続した壁部として形成されているが、図４に示したように、蓋後壁部１４の中央部分を切り欠いて両端部１４ａのみとしても、ケース後壁部２４と共にインデックスシート３０の背表紙部分３２を挟持固定することができる。
【００２３】
図５は、本発明の第２実施形態に係るＭＤカートリッジ収納ケース２００の分解斜視図である。
本第２実施形態のＭＤカートリッジ収納ケース２００は、収納ケース本体６０と、該収納ケース本体６０に着脱自在に設けた蓋体５０とで構成され、ＭＤカートリッジ３と、このＭＤカートリッジ３に記録した情報の内容を記載する図６に示したインデックスシート７０とを収納することができる。
【００２４】
前記蓋体５０は、前記収納ケース本体６０の上部を覆う上壁部５１と、該上壁部５１の両側端及び後端にそれぞれ立設された左右一対の蓋側壁部５２，５３及び蓋後壁部５４とを有している。
一方、前記収納ケース本体６０は、底壁部６１と、この底壁部６１の両側端及び後端にそれぞれ立設されたケース側壁部６２，６３及びケース後壁部６４とを有している。なお、これらケース側壁部６２，６３及びケース後壁部６４は、前記蓋体５０をこの収納ケース本体６０に装着したときに、蓋体５０の蓋側壁部５２，５３及び蓋後壁部５４がその内側に収納されるように構成されている。
【００２５】
前記蓋体５０の左右一対の蓋側壁部５２，５３には、スリットによって前記蓋側壁部５２，５３に対して撓み変形可能とされた片持ち梁状の可撓係止片５５，５５がそれぞれ一対形成されている。そして、各可撓係止片５５の自由端には断面形状が半円状とされた係合突起５５ａが突設されている。
一方、収納ケース本体６０の左右一対のケース側壁部６２，６３の内側表面には、前記可撓係止片５５の係合突起５５ａと係脱自在に係合する係合凹部６５が、底壁部６１の内面に沿うように凹設され、収納ケース本体６０と蓋体５０とを閉じ状態に保持する係合手段が構成されている。
さらに、前記インデックスシート７０は、背表紙部分を持たず、その本体部分７１は、底壁部６１のほぼ内面全体にわたって密着している。
【００２６】
したがって、本第２実施形態のＭＤカートリッジ収納ケース２００においては、蓋体５０を収納ケース本体６０に装着し、その可撓係止片５５の係合突起５５ａを収納ケース本体６０の係合凹部６５に係合させると、蓋体５０は収納ケース本体６０に対して閉じ状態に保持される。
そして、ＭＤカートリッジ３をこのＭＤカートリッジ収納ケース２００内に挿入すると、蓋体５０に設けた左右一対の弾性係止片５６，５６がＭＤカートリッジ３の凹部３ａ，３ａと弾性的に係合して該ＭＤカートリッジ３を収納空間内に保持する。同時に、可撓係止片５５はＭＤカートリッジ３によってケース内方への撓みを阻止されるので、係合突起５５ａと係合凹部６５との係合が外れることはない。
これにより、ＭＤカートリッジ３をＭＤカートリッジ収納ケース２００に収納した状態では、蓋体５０は収納ケース本体６０から外れることはない。
【００２７】
一方、インデックスシート７０は、図６中にハッチングを付して示した部分が、蓋体５０の蓋側壁部５２，５３および蓋後壁部４４の下端面と、収納ケース本体６０の底壁部６１の上面とにより挟持固定される。
すなわち、本第２実施形態のＭＤカートリッジ収納ケース２００においては、インデックスシート７０の左右一対の側縁部７１ａ，７１ｂおよび後縁部７１ｃを、蓋体５０と収納ケース本体６０によって挟持固定することができるので、インデックスシート７０がこのＭＤカートリッジ収納ケース２００から脱落することを確実に防止できる。
【００２８】
図７は、本発明の第３実施形態に係るＭＤカートリッジ収納ケース３００の分解断面図である。
本第３実施形態のＭＤカートリッジ収納ケース３００は、収納ケース本体９０と、該収納ケース本体９０に着脱自在に設けた蓋体８０とで構成されている。上述した第１実施形態のＭＤカートリッジ収納ケース１００においては、係合手段であるスライド溝２５が底壁部２１と平行な方向にのみ延びていたが、本第３実施形態のＭＤカートリッジ収納ケース３００においては、スライド溝が底壁部に対して平行に延びる部分と垂直に延びる部分との両方を備えている。
【００２９】
即ち、蓋体８０の蓋側壁部８１の外側表面下部には、蓋体８０のスライド方向に沿って前後一対の凸部８２，８３が突設されている。又、収納ケース本体９０の側壁９１の内側表面には、前記凸部８２，８３がスライド嵌合すべく底壁部９２に対して平行に延びた水平スライド溝９３と、前記底壁部９２に対して垂直に延びた垂直スライド溝９４，９５とが、それぞれ互いに連通するように凹設されており、側面視で逆Ｌ字型のスライド溝を構成している。
【００３０】
これにより、前記蓋体８０を前記収納ケース本体９０に装着する際には、先ず蓋体８０のスライド方向前方の凸部８３を前記水平スライド溝９３内に嵌合させる。次いで、蓋体８０を収納ケース本体９０に対して所定量だけスライドさせると、スライド方向後方の前記凸部８２を前記水平スライド溝９３内に嵌合させることができる。その後、蓋体８０をさらにスライドさせると、前記凸部８３が前記垂直スライド溝９５内の縦壁面に当接してそれ以上スライドさせることができなくなるので、今度は蓋体８０を収納ケース本体９０に向かって押し下げる。すると、図示されない係合突起と係合凹部により、蓋体８０が収納ケース本体９０に対して閉じ状態に保持される。
【００３１】
すなわち、本第３実施形態のＭＤカートリッジ収納ケース３００においては、蓋体８０を収納ケース本体９０の底壁部９２から浮かせた状態でスライドさせることができるので、蓋体８０のスライドに伴って蓋側壁部８１及び蓋後壁部８４の下端面とインデックスシートとが互いに擦れ合うことがない。したがって、蓋体８０がインデックスシートと擦れ、ＭＤカートリッジ３にとって極めて有害な紙粉が発生することを確実に防止できる。
【００３２】
図８は、本発明の第４実施形態に係るＭＤカートリッジ収納ケース４００の分解断面図である。
本第４実施形態のＭＤカートリッジ収納ケース４００は、収納ケース本体１２０と、該収納ケース本体１２０に着脱自在に設けた蓋体１１０とで構成されている。
【００３３】
蓋体１１０の蓋側壁部１１１の外側表面下端部には、蓋体１１０のスライド方向に沿って前後一対の凸部１１２，１１３が突設されている。
また、収納ケース本体１２０の側壁１２１の内側表面には、前記凸部１１２，１１３がスライド嵌合すべく底壁部１２２に対して垂直に延びた一対の垂直スライド溝１２３，１２４と、これら垂直スライド溝１２３，１２４の下端からそれぞれ底壁部１２２に沿って延びる水平スライド溝１２５，１２６とがそれぞれ凹設され、側面視でＬ字型のスライド溝が形成されている。
【００３４】
したがって、前記蓋体１１０を収納ケース本体１２０に装着する際には、先ず蓋体１１０の一対の凸部１１２，１１３を同時に、前記垂直スライド溝１２３，１２４内に嵌合させる。次いで、蓋体１１０を収納ケース本体１２０の底壁部１２２に向かって押し下げ、一対の凸部１１２，１１３を前記水平スライド溝１２５，１２６内に位置させる。
【００３５】
その後、蓋体１１０を収納ケース本体１２０のケース後壁部１２７に向かってスライドさせることにより、蓋体１１０の蓋後壁部１１４と収納ケース本体１２０のケース後壁部１２７とにより、インデックスシート３０の背表紙部分３２を挟持固定することができる。
すなわち、本第４実施形態のＭＤカートリッジ収納ケース４００によれば、蓋体１１０の収納ケース本体１２０に対するスライド量を最小限に抑えることができ、蓋体１１０がインデックスシートと擦れて紙粉が発生するのを防止できる。
【００３６】
図９は、本発明の第５実施形態に係るＭＤカートリッジ収納ケース５００の分解断面図である。
本第５実施形態のＭＤカートリッジ収納ケース５００は、収納ケース本体１５０と、該収納ケース本体１５０に着脱自在に設けた蓋体１４０とで構成されている。そして、前記蓋体１４０の上壁部１４１の内面には、挿入口側の端部に球面状の突起１４２が突設されている。
これにより、前記ＭＤカートリッジ収納ケース５００内にＭＤカートリッジを挿入すると、ＭＤカートリッジ３の後端部が前記突起１４２に係止されるから、該ＭＤカートリッジ３がこのＭＤカートリッジ収納ケース５００内から不用意に脱落することはない。
【００３７】
また、前記収納ケース本体１５０の底壁１５１の内面にも、その挿入口側の端縁に沿ってフランジ１５２が突設されている。
これにより、このＭＤカートリッジ収納ケース５００内に挿入したインデックスシート３０は、本体部分３１の先端が前記フランジ１５２により保護されるから、ＭＤカートリッジを出し入れしても、インデックスシート３０の端縁が損傷することはない。
【００３８】
尚、本発明に係るディスクカートリッジ収納ケースは、上記各実施形態の構成に限定されるものではなく、種々の変更が可能であることは言うまでもない。
例えば、上述した実施形態においては、収納ケース本体に凹設されたスライド溝が、いずれも収納ケース本体の底壁部に対して平行若しくは垂直に延びるように設定されているが、スライド溝を収納ケース本体の底壁部に対して傾斜して延びるように設定すれば、蓋体をスライドさせると直ちに蓋体が収納ケース本体の底壁部から離間することとなり、インデックスシートの取り出しをより容易に行うことができる。
【００３９】
また、上述した実施形態においては、蓋体側に凸部を突設するとともに、収納ケース本体側にスライド溝を凹設しているが、蓋体側にスライド溝を凹設するとともに、収納ケース本体側に凸部を凸設することとしても良い。
更に、上述した実施形態においては、インデックスシート３０の背表紙部分３２を蓋体の蓋後壁部と収納ケース本体のケース後壁部とで挟持固定する構成とされている。これに対して、例えば図１０に示したインデックスシート４０のように、本体部分４１の側縁に沿って背表紙部分４２を立設した構成とすれば、蓋体の蓋側壁部と収納ケース本体のケース側壁部とにより前記背表紙部分４２を挟持固定することもできる。
【００４０】
【発明の効果】
以上説明したように、本発明のディスクカートリッジ収納ケースは、蓋体が収納ケース本体に対して着脱自在とされているので、蓋体を外すことにより収納空間内にインデックスシートを容易に配置することができる。また、蓋体を収納ケース本体に装着することにより、インデックスシートを蓋体と収納ケース本体とで挾持固定し、インデックスシートの収納ケースからの脱落を防止することができる。
従って、インデックスシートを収納ケース内に容易に収納することができ、かつインデックスシートが脱落することがないディスクカートリッジ収納ケースを提供できる。
【図面の簡単な説明】
【図１】本発明の第１実施形態に係るＭＤカートリッジ収納ケースの分解斜視図
である。
【図２】図１に示したＭＤカートリッジ収納ケースの要部拡大縦断面図である。
【図３】インデックスシートの全体斜視図である。
【図４】図１に示したＭＤカートリッジ収納ケースの変形例を示した要部拡大斜
視図である。
【図５】本発明の第２実施形態に係るＭＤカートリッジ収納ケースの分解斜視図
である。
【図６】図５に示したインデックスシートの全体斜視図である。
【図７】本発明の第３実施形態に係るＭＤカートリッジ収納ケースの分解断面図
である。
【図８】本発明の第４実施形態に係るＭＤカートリッジ収納ケースの分解断面図
である。
【図９】本発明の第５実施形態に係るＭＤカートリッジ収納ケースの分解断面図
である。
【図１０】インデックスシートの変形例を示す全体斜視図である。
【図１１】ＭＤカートリッジおよび従来の収納ケースの全体斜視図である。
【符号の説明】
３ ＭＤカートリッジ
１０ 蓋体
１５ 突条
１５ａ 係合凹部
２０ 収納ケース本体
２５ スライド溝
２５ａ 係合凸部
３０ インデックスシート
１００ ＭＤカートリッジ収納ケース
【図１】
0003606414.tif 000002
【図２】
0003606414.tif 000003
【図３】
0003606414.tif 000004
【図４】
0003606414.tif 000005
【図５】
0003606414.tif 000006
【図６】
0003606414.tif 000007
【図７】
0003606414.tif 000008
【図８】
0003606414.tif 000009
【図９】
0003606414.tif 000010
【図１０】
0003606414.tif 000011
【図１１】
0003606414.tif 000012